【事件の表示】
　特許第６１１３６６９号発明「照明器具及び照明システム」の特許異議申立事件について、次のとおり決定する。
【結　論】
　特許第６１１３６６９号の特許請求の範囲を訂正請求書に添付された訂正特許請求の範囲のとおり、訂正後の請求項〔２、３〕、〔５、６〕について」）訂正することを認める。
　特許第６１１３６６９号の請求項２、３、５、６に係る特許を維持する。
【理　由】
第１．手続の経緯  
　特許第６１１３６６９号の請求項１〜６に係る特許についての出願は、平成２６年１月１４日に出願され、平成２９年３月２４日にその特許権の設定登録がされ、同年４月１２日に特許掲載公報が発行された。本件特許異議の申立ての経緯は、次のとおりである。
平成２９年１０月１２日　　：特許異議申立人竹内佑（以下「特許異議申立
　　　　　　　　　　　　　　人」という。）より請求項２、３、５、６
　　　　　　　　　　　　　　に係る特許に対する特許異議の申立て
　　　同年１２月１９日付け：取消理由通知書
平成３０年　２月２３日　　：特許権者による意見書及び訂正請求書の提出
　　　同年　４月１１日　　：特許異議申立人による意見書の提出
　　　同平　６月２９日付け：訂正拒絶理由通知書
　　　同年　８月　３日　　：特許権者による意見書及び手続補正書の提出
　　　同年　９月　５日付け：取消理由通知書
　　　同年１１月　７日　　：特許権者による意見書及び訂正請求書の提出
 
第２．訂正の適否  
１．訂正の内容  
　平成３０年１１月７日にされた訂正の請求（以下「本件訂正請求」という。また、本件訂正請求に係る訂正を「本件訂正」という。）は、本件特許の願書に添付した特許請求の範囲を、訂正請求書に添付した訂正特許請求の範囲のとおり訂正することを求めるものであり、その訂正の内容は以下のとおりである。（下線部は訂正個所）  
　なお、平成３０年２月２３日にされた訂正の請求は、特許法第１２０条の５第７項の規定により、取下げられたものとみなす。
（１）訂正事項１  
　特許請求の範囲の請求項２に、 
「前記位相制御型調光器により前記交流電源からの入力が遮断される領域のみで動作し、前記位相制御型調光器からの漏れ電圧を吸収するためのインピーダンス低下回路と、」
　と記載されているのを、 
「
インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて
　に訂正する（請求項２の記載を引用する請求項３も同様に訂正する）。  
  
（２）訂正事項２ 
　特許請求の範囲の請求項５に、 
「前記位相制御型調光器により前記交流電源からの入力が遮断される領域のみで動作し、前記調光器からの漏れ電圧を吸収するためのインピーダンス低下回路と、」
　と記載されているのを、 
 「
インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて
位相制御型
（３）訂正前の請求項２、３は、請求項３が、訂正の請求の対象である請求項２の記載を引用する関係にあり、訂正前において一群の請求項に該当するものであるから、訂正事項１は、一群の請求項ごとに訂正請求されたものである。また、訂正前の請求項５、６は、請求項６が、訂正の請求の対象である請求項５の記載を引用する関係にあり、一群の請求項に該当するものであるるから、訂正事項２も、一群の請求項ごとに訂正請求されたものである。
  
２．訂正の適否 
　訂正の目的の適否、新規事項の有無、及び特許請求の範囲の拡張・変更の存否  
　訂正事項１及び２は、訂正前の請求項２及び５に記載されていた「交流電源からの入力が遮断される領域のみで動作し」との構成の技術的意味が明瞭でなかったところ、願書に添付された明細書（以下「本件明細書」という。）の段落【００３６】の記載内容に基いて明瞭にするものであるから、「明瞭でない記載の釈明」を目的とするものであって、新規事項の追加に該当せず、また、実質上特許請求の範囲を拡張し、又は変更するものではない。 
  
３．小括 
　したがって、上記訂正請求による訂正事項１及び２は、特許法第１２０条の５第２項ただし書第３号に掲げる事項を目的とするものであり、かつ、同条第９項で準用する同法第１２６条第５項及び第６項の規定に適合するので、訂正後の請求項〔２、３〕及び〔５、６〕についての訂正を認める。 
 　  
第３．本件発明  
　本件訂正請求により訂正された請求項１〜６に係る発明は、訂正請求書に添付された訂正特許請求の範囲の請求項１〜６に記載された事項により特定されるとおりのものであると認められるところ、その請求項２、３、５、６に係る発明（以下「本件発明２、３、５、６」という。）は、次の事項により特定されるとおりのものである。　 
 
【請求項２】
　スイッチを介して交流電源に接続される照明器具であって、
　照明器具本体と、前記交流電源の位相を制御して前記照明器具本体の調光を行う位相制御型調光器とを備え、
　前記照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、
　を備えたことを特徴とする照明器具。
【請求項３】
　照明器具本体はダウンライトとして用いられる請求項１または２に記載の照明器具。
【請求項５】
　スイッチを介して交流電源に接続される照明システムであって、
　複数の照明器具本体と、前記交流電源の位相を制御して前記複数の照明器具本体の調光を行う位相制御型調光器とを備え、
　前記各照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、
　を備えたことを特徴とする照明システム。
【請求項６】
　照明器具本体はダウンライトとして用いられる請求項４または５に記載の照明システム。
   
第４．取消理由の概要  
１．本件発明２、３、５、６に係る特許に対して平成３０年９月５日付け取消理由通知書（以下「取消理由通知書」という。）で特許権者に通知した取消理由の概要は、以下のとおりである。  
  
［取消理由］  
　本件特許は、特許請求の範囲の記載が下記の点で不備のため、特許法第３６条第６項第２号に規定する要件を満たしていない。  
 　　　　 
 　　　　　　　　　　　　　　　　　記 
　請求項２及び５に記載されている「前記位相制御型調光器により前記交流電源からの入力が遮断される領域のみで動作し、前記位相制御型調光器からの漏れ電圧を吸収するためのインピーダンス低下回路」における「交流電源からの入力」が、何の入力であるのか（電流なのか、電圧なのか）、不明確である。  
　また、「入力が遮断される領域のみ」とは、通常、入力＝０の領域を意味するものと考えられるが、本件明細書の段落【００３６】には「インピーダンス低下回路１８は該回路１８の入力電圧が予め設定された閾値電圧Ｖ２以下になると動作を開始し、閾値電圧Ｖ２を超えて入力電圧が上昇すると動作が停止する構成となっており、これによりインピーダンス低下回路１８を、位相制御型調光器４が入力遮断領域にあるときにのみ動作させ、入力遮断領域にあるときは動作を停止させることができる。」と記載され、「インピーダンス低下回路」が、Ｖ＝０とは限らない閾値電圧Ｖ２以下の領域で動作を開始することが記載されている。そうすると、「入力が遮断される領域のみ」は、Ｖ＝０の時、Ｖ＝Ｖ２以下の時と、多義的に解釈できるため、その具体的な領域が不明確である。 
 　
第５．当審の判断  
１．取消理由通知書に記載した［取消理由］について
　本件訂正により、上記第２．１．の（１）及び（２）で述べたように訂正事項１及び２により、特許請求の範囲の請求項２、５の「前記位相制御型調光器により前記交流電源からの入力が遮断される領域のみで動作し、前記位相制御型調光器からの漏れ電圧を吸収するためのインピーダンス低下回路」との記載が「インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路」との記載に訂正された。
　上記訂正により、「インピーダンス低下回路」が「該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置され」たものであることが明らかになった。
　したがって、上記［取消理由］は解消された。
２．取消理由通知書において採用しなかった特許異議申立理由について
（１）特許法第２９条第２項の関係について 
　特許異議申立人は、証拠として、次の甲第１〜１４号証を提出し、以下の申立理由により、本件発明２、３、５、６に係る特許を取り消すべきものである旨主張している。
証拠
甲第１号証：国際公開第２０１３／１０２８５３号
甲第２号証：特開２０１３−２５１０５７号公報
甲第３号証：実願昭６１−２７１４９号（実開昭６２−１３９０９９号）の
　　　　　　マイクロフィルム
甲第４号証：特開２０００−１００５７８号公報
甲第５号証：特開２００６−１３４８４１号公報
甲第６号証：特開２００７−２２７３４２号公報
甲第７号証：特開昭６３−４０２０２号公報
甲第８号証：登録実用新案第３１７７６４６号公報
甲第９号証：特開２０１３−６９５０１号公報
甲第１０号証：特開２００６−２４５３３号公報
甲第１１号証：特開２００９−１４０８０７号公報
甲第１２号証：特開２０１０−３３８０６号公報
甲第１３号証：国際公開第２０１０／１４３３６２号
甲第１４号証：特開２０１０−１９２２２８号公報
申立理由
　本件発明２及び５は、甲第１号証又は甲第２号証に記載された発明及び甲第３〜１３号証に記載の周知技術とに基いて、本件発明３及び６は、甲第１号証又は甲２号証に記載された発明、甲第３〜１３号証に記載の周知技術及び甲第１４号証に記載された事項とに基いて、当業者が容易に発明をすることができたものであるから、特許法第２９条第２項の規定により特許を受けることができない。
ア．各甲号証の記載事項等  
（ア）甲第１号証の記載事項及び甲第１号証に記載された発明 
　甲第１号証には、以下の事項が記載されている。  
　なお、申立人が提出した甲第１号証の部分訳文を参考にした訳文を（）内に示す。また、下線は当審で付した。以下同様。 
（ア−１）１ページ３行〜５行
「The present invention relates to an electrical device for compensating an effect of an electrical current of a load and a corresponding method for compensating an effect of an electrical current of a load, in particular an LED unit comprising one or more LEDs. 」
（本発明は、負荷、特にはＬＥＤユニットの電流の影響を補償する電気装置及び対応する方法に関する。）
（ア−２）１ページ１９行〜２１行
「The driver circuits should comply with all kinds of dimmers and especially the drivers should comply with phase-cut dimmers, which are preferably used to regulate the mains power with low power loss. 」
（ドライバ回路は全ての種類の調光器に対応しなければならず、特に該ドライバは好ましくは低電力損失で主電源を調整するために使用する
位相カット調光器に対応しなけらばならない。
（ア−３）７ページ３行〜９行
「The dimmer device 10 comprises a triac 16 for connecting the external voltage supply 12 to the load 14. Parallel to the triac a timing circuit 18 is connected. The timing circuit 18 comprises a timing capacitor 20, a variable resistor 22 and a diac 24, which is connected to the triac 16. The voltage of the timing capacitor 20 is provided to the diac 24 which switches the triac 16. When the charge of the timing capacitor 20 reaches a predefined level, the diac 24 is switched off and the supply voltage V10 is provided to the load 14. When the triac 16 is switched off, the supply voltage V10 is provided to the timing circuit 18. 」
（
調光装置１０は、外部電圧源１２を負荷１４に接続するトライアック１６を有している。該トライアックと並列にタイミング回路１８が接続されている。該タイミング回路１８は、タイミングコンデンサ２０、可変抵抗２２、及びトライアック１６に接続されたダイアック２４を有している。
（ア−４）８ページ２６行〜９ページ６行
「In Fig. 3 an embodiment of an electrical device is schematically shown and generally denoted by 30. The electrical device 30 is schematically shown integrated in an electrical circuit. The electrical device 30 is connected to the dimmer device 10 and receives the input voltage V12 from the dimmer device 10. The external voltage supply 12 provides the supply voltage V10 to the dimmer device 10. The electrical device 30 is also directly connected to the external voltage supply 12 or connected to neutral. The electrical device 30 is connected to a load 34 which is formed of a driver device for driving an LED 32. The load current I1 is provided from the dimmer device 10 through the electrical device 30 to the load 34 and the driver device provides a drive current to the LED 32. The drive current may be different from the load current I1 . The load 34 is also connected to the external voltage supply 12 or to neutral. A current I2 is exchanged with the dimmer device 10. The electrical device 30 adds a compensation current I3 (of potentially variable amplitude and polarity) to the current I2, which is exchanged with the dimmer device 10 during certain time intervals to compensate a leakage current of the load 34 in at least one different point in time as described below. 」
（図3には、電気装置の一実施形態が概略図示され、全体として符号３０で示されている。該電気装置３０は電気回路内に組み込まれた状態で示されている。
電気装置３０
調光装置１０
外部電圧源１２
ＬＥＤ３２を駆動するドライバ装置から形成された負荷３４
（ア−５）９ページ３１行〜１０ページ１６行
「As described above, the zero crossing tz of the supply voltage V10 is detected by the electrical device 30 and the electrical device 30 switches from the high impedance disconnection-phase Tdisc to a low impedance state, the off-state T0ff to start the charging of the timing capacitor 20. Since the residual voltage in the capacitor 20 has a different polarity than the final charging stage during the following charging period, initially the voltage across the timing capacitor 20 decreases. This is the intended operation. As mentioned above, the leakage current during the disconnection-phase Tdisc increases the voltage across a timing capacitor 20, so that the charging into the one direction starts at a too high level and will hence take longer than without the leakage current. To compensate the charge accumulated in the timing capacitor 20 by the leakage current, the electrical device 30 switches from the high impedance state to the low impedance state at ti slightly before the detected zero crossing tz. Since the input voltage V12 at ti is lower than the voltage across the timing capacitor 20, the timing capacitor 20 can be discharged earlier during a time interval TDC and the decrease of the timing capacitor voltage starts earlier so that the error due to the leakage current can be compensated. The electrical device 30 determines the switching point ti dependent on the measured leakage current to compensate the effect of the leakage current accordingly. Since the possible shift of the switching point ti is limited due to the relation of the value of the supply voltage V10 to the value of the (residual) voltage in the timing capacitor 20, this compensation method is preferably used for single lamp systems which have a low leakage current. 」
（前述したように、電源電圧Ｖ１０の零交差ｔｚは電気装置３０により検出され、該電気装置３０はタイミングコンデンサ２０の充電を開始するために高インピーダンスの切断フェーズＴｄｉｓｃから低インピーダンス状態、オフ状態Ｔｏｆｆに切り換える。コンデンサ２０における残留電圧は後続の充電期間における最終充電段階とは異なる極性を有するので、タイミングコンデンサ２０の間の電圧は、最初は減少する。これは、意図する動作である。前述したように、切断フェーズＴｄｉｓｃの間の漏れ電流はタイミングコンデンサ２０の間の電圧を増加させるので、一方向への充電は過度に高いレベルで開始し、従って漏れ電流がない場合よりも長い時間が掛かる。
漏れ電流によるタイミングコンデンサ２０に蓄積された電荷を補償するために、電気装置３０は、検出される零交差ｔ
ｚ
よりも僅かに前のｔ１において高インピーダンス状態から低インピーダンス状態へ切り換える
（ア−６）記載事項（ア−３）の記載内容及び図３を参酌すると、外部電圧源１２に接続される調光装置１０、電気装置３０、及びＬＥＤ３２を駆動するドライバ装置から形成された負荷３４とを備える照明装置が開示されているといえる。
　以上の記載事項から、甲第１号証には以下の発明（以下「甲１発明」という。）が記載されていると認められる。
「外部電圧源１２に接続される調光装置１０、電気装置３０、及びＬＥＤ３２を駆動するドライバ装置から形成された負荷３４とを備える照明装置であって、
　調光装置１０は、外部電圧源１２を負荷３４に接続するトライアック１６を有し、該トライアック１６と並列にタイミング回路１８が接続され、該タイミング回路１８は、タイミングコンデンサ２０、可変抵抗２２、及びトライアック１６に接続されたダイアック２４を有するものであり、
　漏れ電流によるタイミングコンデンサ２０に蓄積された電荷を補償するために、電気装置３０は、検出される零交差ｔｚよりも僅かに前のｔ１において高インピーダンス状態から低インピーダンス状態へ切り換える照明装置。」
（イ）甲第２号証の記載事項及び甲第２号証に記載された発明 
　甲第２号証には、以下の事項が記載されている。  
（イ−１）「【請求項１】
　
トライアックを有する位相制御式の調光器により位相制御された交流電圧を整流回路により整流すると共にその整流した電圧を直流電圧に変換して出力する一方、前記整流回路の出力側に、少なくとも互いに直列に接続された第１のスイッチング素子および第１の抵抗を含む保持電流回路を接続し、前記第１のスイッチング素子をオンにして前記トライアックのオン状態を維持させるための保持電流を第１の抵抗を経由する電流通路に流すようにした電源装置であって、
　前記整流回路の出力側の入力電圧を検出し、前記検出した入力電圧が一定電圧を越えると前記電流通路を遮断状態とし、また、前記検出した入力電圧が前記一定電圧以下に低下すると前記電流通路を導通状態とする電圧検出・電流遮断手段を付加した
電源装置。
（イ−２）「【０００１】
　本発明は、位相制御式の調光器により調光を行う照明用電源装置に関し、より詳しくは、
発光ダイオード（ＬＥＤ）を用いた照明装置における調光を制御することが可能な照明用電源装置に関するものである
（イ−３）「【０００３】
　そして、本発明者は、かかる照明用電源装置を鋭意研究している。図２は、従来の照明用電源装置の回路図である。以下、図２を参照して、この照明用電源装置を説明すると、１０は交流電源、２０は、照明用電源装置、
３０はＬＥＤモジュール
【０００４】
　照明用電源装置２０は、交流電源１０が接続される入力端子ＩＮ１，ＩＮ２と、ＬＥＤモジュール３０が接続される出力端子ＯＵＴ１，ＯＵＴ２と、を備える。照明用電源装置２０は、入力端子ＩＮ１，ＩＮ２と出力端子ＯＵＴ１，ＯＵＴ２との間に、調光器２１と、整流回路２２と、保持電流回路２３と、平滑回路２４と、ＤＣ／ＤＣコンバータ２５と、を備える。
【０００５】
　調光器２１は、交流電源１０の交流電圧を位相制御するものであり、位相制御素子であるトライアック（双方向サイリスタ）２１ａと、
トライアック２１ａ
（イ−４）「【００１９】
　本発明においては、高価なＩＣを用いないことで製造コストを低減しかつ必要時にのみトライアックに保持電流を流すことでトライアックの誤動作の防止と共に保持電流回路内のスイッチング素子の電力損失の増大および規格外への温度上昇を抑制した照明用電源装置を提供することを解決すべき課題としている。」
（イ−５）「【００３２】
　
２０Ａは実施形態の照明用電源装置であり、この照明用電源装置２０Ａは、従来の照明用電源装置２０と同様に、調光器２１と、整流回路２２と、保持電流回路２３と、
を備える
【００３３】
　実施形態の
照明用電源装置２０Ａ
電圧検出・電流遮断回路２６
【００３４】
　電圧検出・電流遮断手段２６は、整流回路２２の出力側Ａからの入力電圧を検出する電圧検出回路２６ａと、電圧検出回路２６ａの検出が、前記入力電圧が一定電圧を超える検出であるときは、保持電流回路２３内の
電流通路Ｐ
スイッチング素子Ｑ１
抵抗Ｒ２
【００３５】
　電圧検出回路２６ａは、整流回路２２の出力側Ａと接地ラインとの間にツェナーダイオードＤ５および抵抗Ｒ８，Ｒ９がこの順で直列に接続された回路を含む。ツェナーダイオードＤ５においては、そのカソードは前記出力側Ａに、そのアノードは前記抵抗Ｒ８に接続されている。
【００３６】
　尚、電圧検出回路２６ａにおいて、ツェナーダイオードＤ５は必須ではなく、省略してもよい。また、実施形態では直列に接続された複数の抵抗として抵抗Ｒ８，Ｒ９を示したが、これに限定されず、一部に抵抗を並列接続したものを含んでもよい。
【００３７】
　電流遮断回路２６ｂは、電圧検出回路２６ａの前記抵抗Ｒ８，Ｒ９同士の接続ノードＢにベースが接続されたスイッチング素子としてのトランジスタＱ３と、トランジスタＱ３のコレクタ・エミッタ間に並列で互いに直列接続された抵抗Ｒ１０，Ｒ１１と、抵抗Ｒ１０，Ｒ１１同士の接続ノードＣにベースが接続されたスイッチング素子としてのトランジスタＱ４と、制御回路２５ａに電源を供給するためのダイオードＤ３のカソードとトランジスタＱ３のコレクタとの間に接続された抵抗Ｒ１２と、を備える。なお、トランジスタＱ３，Ｑ４はバイポーラトランジスタであるが、これらトランジスタＱ３，Ｑ４はＭＯＳＦＥＴに置き換えてもよいし、それ以外のトランジスタに置き換えてもよい。
【００３８】
　電圧検出・電流遮断手段２６の動作を説明すると、電圧検出回路２６ａにおいて、整流回路２２の出力側Ａの電圧が一定電圧を超えると、ツェナーダイオードＤ５が導通すると共に、抵抗Ｒ８，Ｒ９同士の接続ノードＢには、電流遮断回路２６ｂのトランジスタＱ３をオンにする高い電圧が発生する。また、電流遮断回路２６ｂにおいては、前記接続ノードＢに前記高い電圧が発生すると、トランジスタＱ３がオンする。トランジスタＱ３がオンすると、抵抗Ｒ１０，Ｒ１１同士の接続ノードＣには、トランジスタＱ４をオンにする電圧が発生しないので、当該トランジスタＱ４はオフする。これにより、保持電流回路２３の抵抗Ｒ２を経由して接地ラインに至る電流通路Ｐが遮断されて、抵抗Ｒ２には保持電流が流れない。
【００３９】
　一方、交流電源１０の交流電圧がゼロクロス付近へと低下していき、これに対応して、整流回路２２の出力側Ａの電圧が一定電圧以下に低下すると、電圧検出回路２６ａにおいては、ツェナーダイオードＤ５が非導通となり、抵抗Ｒ８，Ｒ９同士の接続ノードＢの電圧が低下する。そして、電流遮断回路２６ｂにおいては、前記接続ノードＢの電圧が低下すると、トランジスタＱ３がオフする。トランジスタＱ３がオフすると、抵抗Ｒ１０，Ｒ１１には抵抗Ｒ１２を介して電流が流れ、この電流により、抵抗Ｒ１０，Ｒ１１同士の接続ノードＣには、トランジスタＱ４をオンにする電圧が発生し、当該トランジスタＱ４はオンする。これにより、保持電流回路２３の抵抗Ｒ２を経由して接地ラインに至る電流通路Ｐが導通状態とされて、抵抗Ｒ２に保持電流が流れるようになる。」
（イ−６）記載事項（イ−２）の「発光ダイオード（ＬＥＤ）を用いた照明装置における調光を制御することが可能な照明用電源装置に関するものである。」との記載、記載事項（イ−３）の段落【０００３】及び記載事項（イ−５）の段落【００３２】の記載内容並びに【図１】を参酌すると、調光を制御することが可能な照明用電源装置２０Ａを有する発光ダイオードモジュール３０を用いた照明装置が記載されているといえる。
　以上の記載事項から、甲第２号証には以下の発明（以下「甲２発明」という。）が記載されていると認められる。
「調光を制御することが可能な照明用電源装置２０Ａを有する発光ダイオードモジュール３０を用いた照明装置であって、
　トライアック２１ａを有する位相制御式の調光器２１により位相制御された交流電圧を整流回路２２により整流すると共にその整流した電圧を直流電圧に変換して出力する一方、前記整流回路２２の出力側に、少なくとも互いに直列に接続された第１のスイッチング素子Ｑ１および第１の抵抗Ｒ２を含む保持電流回路２３を接続し、前記第１のスイッチング素子Ｑ１をオンにして前記トライアック２１ａのオン状態を維持させるための保持電流を第１の抵抗Ｒ２を経由する電流通路Ｐに流すようにした電源装置２０Ａであって、
　前記整流回路２２の出力側の入力電圧を検出し、前記検出した入力電圧が一定電圧を越えると前記電流通路Ｐを遮断状態とし、また、前記検出した入力電圧が前記一定電圧以下に低下すると前記電流通路Ｐを導通状態とする電圧検出・電流遮断手段２６を付加した調光を制御することが可能な照明用電源装置２０Ａを有する発光ダイオードモジュール３０を用いた照明装置。」
（ウ）甲第３号証〜甲第１３号証には、ユーザーにより、スイッチをオンからオフにした後、一定時間内に再度オンにする操作であるプルレス操作がなされたか否かを判定する判定手段と、前記判定手段により、プルレス操作がなされたと判定された場合は調色を行う制御手段とを有する照明装置が記載されている。
（エ）甲第１４号証の段落【００３１】の記載内容及び【図２】の図示内容から、照明装置１００をダウンライトとして用いることが示されている。
イ．当審の判断
（ア）甲第１号証を主たる証拠とする場合
（ア−１）本件発明２
ａ．対比
　本件発明２と甲１発明とを対比する。
（ａ）後者の「外部電圧源１２」は図２及び５に示された波形から交流電源に接続されていることは明らかであるから、後者の「外部電圧源１２に接続される」「照明装置」と、前者の「スイッチを介して交流電源に接続される照明器具」とは、「交流電源に接続される照明器具」の限度で共通する。
（ｂ）前者の「照明器具本体」は、本件明細書の段落【００２６】の記載内容及び【図１】の図示内容から、「位相制御型調光器」の下流側から光源に至るまでの構成を総称しているものと認められるから、後者の「電気装置３０、及びＬＥＤ３２を駆動するドライバ装置から形成された負荷３４」は前者の「照明器具本体」に相当するといえる。また、後者の「外部電圧源１２を負荷１４に接続するトライアック１６を有し、該トライアックと並列にタイミング回路１８が接続され、該タイミング回路１８は、タイミングコンデンサ２０、可変抵抗２２、及びトライアック１６に接続されたダイアック２４を有」する「調光装置１０」は、甲第１号証の記載事項（ア−２）の「位相カット調光器に対応しなけらばならない。」との記載を併せみると、前者の「前記交流電源の位相を制御して前記照明器具本体の調光を行う位相制御型調光器」に相当する。
　
　以上によれば、本件発明２と甲１発明とは、
「交流電源に接続される照明器具であって、
　照明器具本体と、前記交流電源の位相を制御して前記照明器具本体の調光を行う位相制御型調光器とを備えた照明器具。」の点で一致し、以下の点で相違する。
  
＜相違点＞ 
　「照明器具本体」に関し、
　本件発明２は、「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と、インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、を備えた」ものであるのに対し、
　甲１発明は、「スイッチ」が特定されておらず、「プルレス操作」に係る「判定手段」及び「制御手段」が特定がなく、「漏れ電流によるタイミングコンデンサ２０に蓄積された電荷を補償するために、電気装置３０は、検出される零交差ｔｚよりも僅かに前のｔ１において高インピーダンス状態から低インピーダンス状態へ切り換える」構成を有する点。
ｂ．判断  
　相違点について検討する。 
　本件発明２の「漏れ電圧を吸収するためのインピーダンス低下回路」は、「脈流を直流電圧へ変換する変換部の上流側に配置されて」、つまり「位相制御型調光器」の下流側に配置されて、「該回路の入力電圧が予め設定された閾値電圧以下になると動作を開始」し、「漏れ電圧を吸収する」ものであり、本件明細書の段落【００３４】に記載されているように位相制御型調光器４からの漏れ電圧をインピーダンス低下回路１８で吸収することで、監視電圧Ｖ０に対する漏れ電圧の影響を抑制し、監視電圧Ｖ０がスイッチ３によるプルレス操作のオフ時の電圧に対応する一定電圧Ｖ１以下になったタイミングやスイッチ３のオフ時間の検出をばらつき無く精度良く行えるようにするものである。
　他方、甲１発明の「漏れ電流によるタイミングコンデンサ２０に蓄積された電荷を補償するために、電気装置３０は、検出される零交差ｔｚよりも僅かに前のｔ１において高インピーダンス状態から低インピーダンス状態へ切り換える」との構成は、甲第１号証の記載事項（ア−５）の記載内容によると、コンデンサ２０における残留電圧は後続の充電期間における最終充電段階とは異なる極性を有するので、漏れ電流がない場合よりも長い時間が掛かるという知見から、タイミングコンデンサ２０内に蓄積された電荷を補償するための時刻ｔ１を設定し、タイミングコンデンサ２０に蓄積された電荷を補償するものであるから、本件発明２のように「予め設定された閾値電圧以下になると動作を開始」するものでもないし、「漏れ電圧を吸収する」との機能を果たすものともいえないので、本件発明２の「漏れ電圧を吸収するためのインピーダンス低下回路」とは、その構成及び機能において相違するものである。
　また、甲第３号証〜甲第１３号証は、上記相違点に係る本件発明２の「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と」を備える構成に相当する構成が周知技術であることを示す文献であるから、甲１発明において、本件発明２の当該「漏れ電圧を吸収するためのインピーダンス低下回路」を備える構成に変更する契機にはならない。
　したがって、上記相違点に係る本件発明２の構成は容易想到とはいえないものであるから、本件発明２は甲１発明及び甲第３号証〜甲第１３号証に記載の周知技術に基いて、当業者が容易に発明をすることができたものとはいえない。 
（ア−２）本件発明３
　本件発明３は、本件発明２の発明特定事項を全て含み、さらに減縮したものである。また、甲第１４号証は、照明装置をダウンライトとして用いることが示されていることに留まるものであるから、本件発明３は、本件発明２と同様に、甲１発明、甲第３号証〜甲第１３号証に記載の周知技術、及び甲第１４号証に記載された事項に基いて、当業者が容易に発明をすることができたものとはいえない。 
（ア−３）本件発明５
ａ．対比
　本件発明５と甲１発明とを対比する。
（ａ）後者の「外部電圧源１２」は図２及び５に示された波形から交流電源に接続されていることは明らかであるから、後者の「外部電圧源１２に接続される」「照明装置」と、前者の「スイッチを介して交流電源に接続される照明システム」とは、「交流電源に接続される照明システム」の限度で共通する。
（ｂ）前者の「照明器具本体」は、本件明細書の段落【００２６】の記載内容及び【図１】の図示内容から、「位相制御型調光器」の下流側から光源に至るまでの構成を総称しているものと認められるから、後者の「電気装置３０、及びＬＥＤ３２を駆動するドライバ装置から形成された負荷３４」と、前者の「複数の照明器具本体」とは、「照明器具本体」の限度で共通するといえる。また、後者の「外部電圧源１２を負荷１４に接続するトライアック１６を有し、該トライアックと並列にタイミング回路１８が接続され、該タイミング回路１８は、タイミングコンデンサ２０、可変抵抗２２、及びトライアック１６に接続されたダイアック２４を有」する「調光装置１０」は、甲第１号証の記載事項（ア−２）の「位相カット調光器に対応しなけらばならない。」との記載を併せみると、前者の「前記交流電源の位相を制御して前記複数の照明器具本体の調光を行う位相制御型調光器」との対比において、「前記交流電源の位相を制御して前記照明器具本体の調光を行う位相制御型調光器」の限度で共通する。
　
　以上によれば、本件発明５と甲１発明とは、
「交流電源に接続される照明システムであって、
　照明器具本体と、前記交流電源の位相を制御して前記照明器具本体の調光を行う位相制御型調光器とを備えた照明システム。」の点で一致し、以下の点で相違する。
  
＜相違点１＞ 
　本件発明５は、「複数の」照明器具本体であり、「前記複数の」照明器具本体の調光を行う位相制御型調光器であるのに対し、
　甲１発明は、本件発明５の「照明器具本体」に相当する「電気装置３０、及びＬＥＤ３２を駆動するドライバ装置とから形成された負荷３４」が複数であること、及び該複数の「電気装置３０、及びＬＥＤ３２を駆動するドライバ装置とから形成された負荷３４」の調光を行う「調光装置１０」であることの特定がない点。
＜相違点２＞
　「照明器具本体」に関し、
　本件発明５は、「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と、インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、を備えた」ものであるのに対し、
　甲１発明は、「スイッチ」が特定されておらず、「プルレス操作」に係る「判定手段」及び「制御手段」が特定がなく、「漏れ電流によるタイミングコンデンサ２０に蓄積された電荷を補償するために、電気装置３０は、検出される零交差ｔｚよりも僅かに前のｔ１において高インピーダンス状態から低インピーダンス状態へ切り換える」構成を有する点。
ｂ．判断
　事案に鑑み相違点２について検討する。
　相違点２は、上記（ア−１）ａ．で検討した相違点と同じであるから、上記（ア−１）ｂ．で記載した理由により、上記相違点２に係る本件発明５の構成は容易想到とはいえないものであるから、本件発明５は甲１発明及び甲第３号証〜甲第１３号証に記載の周知技術に基いて、当業者が容易に発明をすることができたものとはいえない。
（ア−４）本件発明６
　本件発明６は、本件発明５の発明特定事項を全て含み、さらに減縮したものである。また、甲第１４号証は、照明装置をダウンライトとして用いることが示されていることに留まるものであるから、本件発明６は、本件発明５と同様に、甲１発明、甲第３号証〜甲第１３号証に記載の周知技術、及び甲第１４号証に記載された事項に基いて、当業者が容易に発明をすることができたものとはいえない。
（イ）甲第２号証を主たる証拠とする場合
（イ−１）本件発明２
ａ．対比
　本件発明２と甲２発明とを対比する。
（ａ）後者は「交流電圧を整流回路２２により整流すると共にその整流した電圧を直流電圧に変換して出力する」ものであり、照明装置は交流電源に接続されていることは明らかであるから、後者の「調光を制御することが可能な照明用電源装置２０Ａを有する発光ダイオードモジュール３０を用いた照明装置」と、前者の「スイッチを介して交流電源に接続される照明器具」とは、「交流電源に接続される照明器具」の限度で共通する。
（ｂ）前者の「照明器具本体」は、本件明細書の段落【００２６】の記載内容及び【図１】の図示内容から、「位相制御型調光器」の下流側から光源に至るまでの構成を総称しているものと認められるから、後者の「照明用電源装置２０Ａ」のうち「整流回路２２」、「保持電流回路２３」、「電流通路Ｐ」、「電圧検出・電流遮断手段２６」及び「発光ダイオードモジュール３０」を合わせたものは前者の「照明器具本体」に相当するといえる。
（ｃ）上記（ａ）及び（ｂ）を踏まえると、後者の「トライアック２１ａを有する位相制御式の調光器２１」は前者の「前記交流電源の位相を制御して前記照明器具本体の調光を行う位相制御型調光器」に相当する。
　以上によれば、本件発明２と甲２発明とは、
「交流電源に接続される照明器具であって、
　照明器具本体と、前記交流電源の位相を制御して前記照明器具本体の調光を行う位相制御型調光器とを備えた照明器具。」の点で一致し、以下の点で相違する。
  
＜相違点Ａ＞ 
　「照明器具本体」に関し、
　本件発明２は、「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と、インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、を備えた」ものであるのに対し、
　甲２発明は、「スイッチ」が特定されておらず、「プルレス操作」に係る「判定手段」及び「制御手段」が特定がなく、「前記整流回路２２の出力側に、少なくとも互いに直列に接続された第１のスイッチング素子Ｑ１および第１の抵抗Ｒ２を含む保持電流回路２３を接続し、前記第１のスイッチング素子Ｑ１をオンにして前記トライアック２１ａのオン状態を維持させるための保持電流を第１の抵抗Ｒ２を経由する電流通路Ｐに流すようにした電源装置２０Ａであって、前記整流回路２２の出力側の入力電圧を検出し、前記検出した入力電圧が一定電圧を越えると前記電流通路Ｐを遮断状態とし、また、前記検出した入力電圧が前記一定電圧以下に低下すると前記電流通路Ｐを導通状態とする電圧検出・電流遮断手段２６を付加した調光を制御することが可能な照明用電源装置２０Ａを有する」点。
ｂ．判断  
　相違点Ａについて検討する。 
　本件発明２の「漏れ電圧を吸収するためのインピーダンス低下回路」は、「脈流を直流電圧へ変換する変換部の上流側に配置されて」、つまり「位相制御型調光器」の下流側に配置されて、「予め設定された閾値電圧以下になると動作を開始」し、「漏れ電圧を吸収する」ものであり、本件明細書の段落【００３４】に記載されているように位相制御型調光器４からの漏れ電圧をインピーダンス低下回路１８で吸収することで、監視電圧Ｖ０に対する漏れ電圧の影響を抑制し、監視電圧Ｖ０がスイッチ３によるプルレス操作のオフ時の電圧に対応する一定電圧Ｖ１以下になったタイミングやスイッチ３のオフ時間の検出をばらつき無く精度良く行えるようにするものである。
　他方、甲２発明の「前記整流回路２２の出力側に、少なくとも互いに直列に接続された第１のスイッチング素子Ｑ１および第１の抵抗Ｒ２を含む保持電流回路２３を接続し、前記第１のスイッチング素子Ｑ１をオンにして前記トライアック２１ａのオン状態を維持させるための保持電流を第１の抵抗Ｒ２を経由する電流通路Ｐに流すようにした電源装置２０Ａであって、前記整流回路２２の出力側の入力電圧を検出し、前記検出した入力電圧が一定電圧を越えると前記電流通路Ｐを遮断状態とし、また、前記検出した入力電圧が前記一定電圧以下に低下すると前記電流通路Ｐを導通状態とする電圧検出・電流遮断手段２６を付加した調光を制御することが可能な照明用電源装置２０Ａ」は、整流回路２２の出力側の入力電圧が一定電圧以下に低下すると電流通路Ｐを導通状態とし、トライアック２１ａのオン状態を維持させるための保持電流を第１の抵抗Ｒ２を経由する電流通路Ｐに流すものであり、本件発明２のように位相制御型調光器４からの漏れ電圧を吸収するものではないから、本件発明２の「漏れ電圧を吸収するためのインピーダンス低下回路」とはその構成及び機能において相違するものである。
　また、甲第３号証〜甲第１３号証は、上記相違点Ａに係る本件発明２の「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と」を備える構成に相当する構成が周知技術であることを示す文献であるから、甲２発明において、本件発明２の当該「漏れ電圧を吸収するためのインピーダンス低下回路」を備える構成に変更する契機にはならない。
　したがって、上記相違点に係る本件発明２の構成は容易想到とはいえないものであるから、本件発明２は甲２発明及び甲第３号証〜甲第１３号証に記載の周知技術に基いて、当業者が容易に発明をすることができたものとはいえない。 
（イ−２）本件発明３
　本件発明３は、本件発明２の発明特定事項を全て含み、さらに減縮したものである。また、甲第１４号証は、照明装置をダウンライトとして用いることが示されていることに留まるものであるから、本件発明３は、本件発明２と同様に、甲２発明、甲第３号証〜甲第１３号証に記載の周知技術、及び甲第１４号証に記載された事項に基いて、当業者が容易に発明をすることができたものとはいえない。 
（イ−３）本件発明５
ａ．対比
（ａ）後者は「交流電圧を整流回路２２により整流すると共にその整流した電圧を直流電圧に変換して出力する」ものであり、照明装置は交流電源に接続されていることは明らかであるから、後者の「調光を制御することが可能な照明用電源装置２０Ａを有する発光ダイオードモジュール３０を用いた照明装置」と、前者の「スイッチを介して交流電源に接続される照明システム」とは、「交流電源に接続される照明システム」の限度で共通する。
（ｂ）前者の「照明器具本体」は、本件明細書の段落【００２６】の記載内容及び【図１】の図示内容から、「位相制御型調光器」の下流側から光源に至るまでの構成を総称しているものと認められるから、後者の「照明用電源装置２０Ａ」のうち「整流回路２２」、「保持電流回路２３」、「電流通路Ｐ」、「電圧検出・電流遮断手段２６」及び「発光ダイオードモジュール３０」を合わせたものは前者の「複数の照明器具本体」との対比において、「照明器具本体」の限度で共通する。
（ｃ）上記（ａ）及び（ｂ）を踏まえると、後者の「トライアック２１ａを有する位相制御式の調光器２１」と前者の「前記交流電源の位相を制御して前記複数の照明器具本体の調光を行う位相制御型調光器」とは、「前記交流電源の位相を制御して前記照明器具本体の調光を行う位相制御型調光器」の限度で共通する。
　以上によれば、本件発明２と甲２発明とは、
「交流電源に接続される照明システムであって、
　照明器具本体と、前記交流電源の位相を制御して前記照明器具本体の調光を行う位相制御型調光器とを備えた照明システム。」の点で一致し、以下の点で相違する。
＜相違点Ｂ＞ 
　本件発明５は、「複数の」照明器具本体であり、「前記複数の」照明器具本体の調光を行う位相制御型調光器であるのに対し、
　甲１発明は、本件発明５の「照明器具本体」に相当する「照明用電源装置２０Ａ」のうち「整流回路２２」、「保持電流回路２３」、「電流通路Ｐ」、「電圧検出・電流遮断手段２６」及び「発光ダイオードモジュール３０」を合わせたものが複数あること、及び複数の照明器具本体の調光を行う「調光器２１」であることの特定がない点。
＜相違点Ｃ＞
　「照明器具本体」に関し、
　本件発明５は、「スイッチを介して」交流電源に接続される照明器具であり、「ユーザーにより、前記スイッチをオンからオフにした後、一定時間内に再度オンにする操作であるプルレス操作がなされたか否かを判定する判定手段と、前記判定手段により、プルレス操作がなされたと判定された場合は調色を行う制御手段と、インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて、前記位相制御型調光器からの漏れ電圧を吸収するためのインピーダンス低下回路と、を備えた」ものであるのに対し、
　甲２発明は、「スイッチ」が特定されておらず、「プルレス操作」に係る「判定手段」及び「制御手段」が特定がなく、「前記整流回路２２の出力側に、少なくとも互いに直列に接続された第１のスイッチング素子Ｑ１および第１の抵抗Ｒ２を含む保持電流回路２３を接続し、前記第１のスイッチング素子Ｑ１をオンにして前記トライアック２１ａのオン状態を維持させるための保持電流を第１の抵抗Ｒ２を経由する電流通路Ｐに流すようにした電源装置２０Ａであって、前記整流回路２２の出力側の入力電圧を検出し、前記検出した入力電圧が一定電圧を越えると前記電流通路Ｐを遮断状態とし、また、前記検出した入力電圧が前記一定電圧以下に低下すると前記電流通路Ｐを導通状態とする電圧検出・電流遮断手段２６を付加した調光を制御することが可能な照明用電源装置２０Ａを有する」点。
ｂ．判断
　事案に鑑み相違点Ｃについて検討する。
　相違点Ｃは、上記（イ−１）ａ．で検討した相違点Ａと同じであるから、上記（イ−１）ｂ．で記載した理由により、上記相違点Ｃに係る本件発明５の構成は容易想到とはいえないものであるから、本件発明５は甲２発明及び甲第３号証〜甲第１３号証に記載の周知技術に基いて、当業者が容易に発明をすることができたものとはいえない。
（イ−４）本件発明６
　本件発明６は、本件発明５の発明特定事項を全て含み、さらに減縮したものである。また、甲第１４号証は、照明装置をダウンライトとして用いることが示されていることに留まるものであるから、本件発明６は、本件発明５と同様に、甲２発明、甲第３号証〜甲第１３号証に記載の周知技術、及び甲第１４号証に記載された事項に基いて、当業者が容易に発明をすることができたものとはいえない。
（２）特許法第３６条の関係について 
　特許異議申立人は、特許異議申立書のなかで、概ね、本件発明２、３、５、６に記載されている「交流電源からの入力が遮断される領域のみで動作し」に関し、「交流電源からの入力」として電圧と電流が考えられるところ、本件特許の発明の詳細な説明においては「入力電圧」の態様しか記載されていないことから、特許法第３６条第６項第１号に規定する要件を満たしていないこと、及び、本件明細書の段落【００３６】の記載内容を参酌しても、当業者が「遮断される領域のみで動作」することが実施できないから、特許法第３６条第４項第１号に規定する要件を満たしていないことを主張している。
　しかしながら、上記第５．１．で検討したように、本件訂正により、「インピーダンス低下回路」が「該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置され」たものであることが明らかになったので、本件発明２、３、５、６は、特許法第３６条第６項第１号及び、特許法第３６条第４項第１号に規定する要件を満たすものである。
　したがって、特許異議申立書人の主張する取消理由で取り消すことはできない。 
  
第６．むすび 
　以上のとおりであるから、取消理由通知に記載した取消理由及び特許異議申立書に記載した特許異議申立理由によっては、本件請求項２、３、５、６に係る特許を取り消すことはできない。
　また、他に本件請求項２、３、５、６に係る特許を取り消すべき理由を発見しない。
【異議決定日】
平成３０年１２月６日（２０１８．１２．６）
【訂正の要旨】
審決（決定）の【理由】欄参照。
（５７）【特許請求の範囲】
　【請求項１】
　スイッチを介して交流電源に接続される照明器具であって、
　照明器具本体と、前記交流電源の位相を制御して前記照明器具本体の調光を行う位相制御型調光器とを備え、
　前記照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　前記交流電源からの入力電圧の変化を直接に監視して、前記入力電圧が一定値以下に低下したことを検出する検出手段と、
　を備え、
　前記判定手段は、前記検出手段により入力電圧が一定値以下に低下したことが検出された場合は、前記交流電源からの入力電圧の少なくとも半周期よりも長い値に予め設定された第１の一定時間の測定を開始し、前記第１の一定時間内に、前記検出手段により入力電圧が一定値以下に低下したことが再度検出された場合は、前記第１の一定時間の測定開始をやり直し、前記第１の一定時間内に前記検出手段により入力電圧が一定値以下に低下したことが検出されることがなく、かつ前記第１の一定時間の経過後であって、第１の一定時間の終了よりも遅く終了する予め設定された第２の一定時間の経過前に、前記入力電圧が上昇した場合はプルレス操作がなされたと判定することを特徴とする照明器具。
　【請求項２】
　スイッチを介して交流電源に接続される照明器具であって、
　照明器具本体と、前記交流電源の位相を制御して前記照明器具本体の調光を行う位相制御型調光器とを備え、
　前記照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　
インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて
　を備えたことを特徴とする照明器具。
　【請求項３】
　照明器具本体はダウンライトとして用いられる請求項１または２に記載の照明器具。
　【請求項４】
　スイッチを介して交流電源に接続される照明システムであって、
　複数の照明器具本体と、前記交流電源の位相を制御して前記複数の照明器具本体の調光を行う位相制御型調光器とを備え、
　前記各照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　前記交流電源からの入力電圧の変化を直接に監視して、前記入力電圧が一定値以下に低下したことを検出する検出手段と、
　を備え、
　前記判定手段は、前記検出手段により入力電圧が一定値以下に低下したことが検出された場合は、前記交流電源からの入力電圧の少なくとも半周期よりも長い値に予め設定された第１の一定時間の測定を開始し、前記第１の一定時間内に、前記検出手段により入力電圧が一定値以下に低下したことが再度検出された場合は、前記第１の一定時間の測定開始をやり直し、前記第１の一定時間内に前記検出手段により入力電圧が一定値以下に低下したことが検出されることがなく、かつ前記第１の一定時間の経過後であって、第１の一定時間の終了よりも遅く終了する予め設定された第２の一定時間の経過前に、前記入力電圧が上昇した場合はプルレス操作がなされたと判定することを特徴とする照明システム。
　【請求項５】
　スイッチを介して交流電源に接続される照明システムであって、
　複数の照明器具本体と、前記交流電源の位相を制御して前記複数の照明器具本体の調光を行う位相制御型調光器とを備え、
　前記各照明器具本体は、
　ユーザーにより、前記スイッチをオンからオフにした後、一定時間内に再度オンにする操作であるプルレス操作がなされたか否かを判定する判定手段と、
　前記判定手段により、プルレス操作がなされたと判定された場合は調色を行う制御手段と、
　
インピーダンス低下回路であって、該回路の入力電圧が予め設定された閾値電圧以下になると動作を開始し、閾値電圧を超えて入力電圧が上昇すると動作が停止する構成となっており、これによりインピーダンス低下回路を、位相制御型調光器が入力遮断領域にあるときにのみ動作させ、入力遮断領域にないときは動作を停止させることができ、脈流を直流電圧へ変換する変換部の上流側に配置されて
位相制御型
　を備えたことを特徴とする照明システム。
　【請求項６】
　照明器具本体はダウンライトとして用いられる請求項４または５に記載の照明システム。